(57)【要約】  ＴＤＤモードで動作するメインキャリア（３１０，４１０）と少なくとも１つのサブキャリア（３２０，４２０）を有する通信システム（１００）におけるＴＤＤ処理のための一般化された複信方法、基地局（１２２）及びモバイルステーション（１１８）。本方法は、半複信及び全複信動作モードをサポートする。メイン及びサブキャリアは、異なるチップレートにより動作可能である。これは、一般化された複信が複数のＲＦキャリアにより動作するという効果を提供し、従来のＵＴＲＡ  ＦＤＤモードと異なり、一般化された複信はＲＦキャリア間の固定された周波数複信スペーシングを必要としない。
2007505583.tif 000002
【特許請求の範囲】
【請求項１】
通信システムにおけるＴＤＤ処理のための方法であって、
ＴＤＤモードにより動作するメインキャリアを介し通信を行うステップと、
少なくとも１つのサブキャリアを介し前記通信を行うステップと、
から構成されることを特徴とする方法。
【請求項２】
請求項１記載の方法であって、
前記通信は、半複信モードにより実行されることを特徴とする方法。
【請求項３】
請求項１記載の方法であって、
前記通信は、全複信モードにより実行されることを特徴とする方法。
【請求項４】
請求項３記載の方法であって、
前記通信は、独立した送信機能と単一の受信機能を有するユーザ装置間で行われることを特徴とする方法。
【請求項５】
請求項１乃至４何れか一項記載の方法であって、
前記メインキャリアは、少なくとも２つのランダムアクセスチャネルを提供することを特徴とする方法。
【請求項６】
請求項１乃至５何れか一項記載の方法であって、
前記メインキャリアは、少なくとも２つのサブ共通制御物理的チャネルを提供することを特徴とする方法。
【請求項７】
請求項１乃至６何れか一項記載の方法であって、
前記少なくとも１つのサブキャリアは、ダウンリンク通信のみをサポートすることを特徴とする方法。
【請求項８】
請求項１乃至７何れか一項記載の方法であって、
前記メモリキャリアと前記少なくとも１つのサブキャリアは、異なるチップレートにより動作することを特徴とする方法。
【請求項９】
請求項１乃至８何れか一項記載の方法であって、
前記システムは、３ＧＰＰシステムから構成されることを特徴とする方法。
【請求項１０】
通信システムにおけるＴＤＤ処理のための基地局であって、
ＴＤＤモードにより動作するメインキャリアを介し通信を行う手段と、
少なくとも１つのサブキャリアを介し前記通信を行う手段と、
から構成されることを特徴とする基地局。
【請求項１１】
請求項１０記載の基地局であって、
前記通信は、半複信モードにより実行されることを特徴とする基地局。
【請求項１２】
請求項１０記載の基地局であって、
前記通信は、全複信モードにより実行されることを特徴とする基地局。
【請求項１３】
請求項１２記載の基地局であって、
前記通信は、独立した送信機能と単一の受信機能を有するユーザ装置間で行われることを特徴とする基地局。
【請求項１４】
請求項１０乃至１３何れか一項記載の基地局であって、
前記メインキャリアは、少なくとも２つのランダムアクセスチャネルを提供することを特徴とする基地局。
【請求項１５】
請求項１０乃至１４何れか一項記載の基地局であって、
前記メインキャリアは、少なくとも２つのサブ共通制御物理的チャネルを提供することを特徴とする基地局。
【請求項１６】
請求項１０乃至１５何れか一項記載の基地局であって、
前記少なくとも１つのサブキャリアは、ダウンリンク通信のみをサポートすることを特徴とする基地局。
【請求項１７】
請求項１０乃至１６何れか一項記載の基地局であって、
前記メモリキャリアと前記少なくとも１つのサブキャリアは、異なるチップレートにより動作することを特徴とする基地局。
【請求項１８】
請求項１０記載の基地局であって、
前記システムは、３ＧＰＰシステムから構成されることを特徴とする基地局。
【請求項１９】
通信システムにおけるＴＤＤ処理のためのモバイルステーションであって、
ＴＤＤモードにより動作するメインキャリアを介し通信を行う手段と、
少なくとも１つのサブキャリアを介し前記通信を行う手段と、
から構成されることを特徴とするモバイルステーション。
【請求項２０】
請求項１９記載のモバイルステーションであって、
前記通信は、半複信モードにより実行されることを特徴とするモバイルステーション。
【請求項２１】
請求項１９記載のモバイルステーションであって、
前記通信は、全複信モードにより実行されることを特徴とするモバイルステーション。
【請求項２２】
請求項２１記載のモバイルステーションであって、
前記通信は、独立した送信機能と単一の受信機能を有するユーザ装置間で行われることを特徴とするモバイルステーション。
【請求項２３】
請求項１９乃至２２何れか一項記載のモバイルステーションであって、
前記メインキャリアは、少なくとも２つのランダムアクセスチャネルを提供することを特徴とするモバイルステーション。
【請求項２４】
請求項１９乃至２３何れか一項記載のモバイルステーションであって、
前記メインキャリアは、少なくとも２つのサブ共通制御物理的チャネルを提供することを特徴とするモバイルステーション。
【請求項２５】
請求項１９乃至２４何れか一項記載のモバイルステーションであって、
前記少なくとも１つのサブキャリアは、ダウンリンク通信のみをサポートすることを特徴とするモバイルステーション。
【請求項２６】
請求項１９乃至２５何れか一項記載のモバイルステーションであって、
前記メモリキャリアと前記少なくとも１つのサブキャリアは、異なるチップレートにより動作することを特徴とするモバイルステーション。
【請求項２７】
請求項１９乃至２６何れか一項記載のモバイルステーションであって、
前記システムは、３ＧＰＰシステムから構成されることを特徴とするモバイルステーション。
【発明の詳細な説明】
【発明の詳細な説明】
【０００１】
［発明の技術分野］
本発明は、通信システムに関し、特にセルラー通信システムにおける時分割複信（ＴＤＤ）処理に関する。
【０００２】
［発明の背景］
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）として知られている本発明の技術分野には、周波数分割複信（ＦＤＤ）と時分割複信（ＴＤＤ）の２つのタイプの複信がある。ＦＤＤでは、下位周波数リソースと上位周波数リソースとの間の分離は、典型的には固定化されている。下位帯域のすべての物理的リソースはアップリンクトラフィックに割当てられ、上位帯域のすべての物理的リソースはダウンリンクトラフィックに割当てられ、アップリンクとダウンリンクとの間には対称的な分割が生じている。
【０００３】
しかしながらＴＤＤでは、割当てられた周波数リソースには１つの帯域しかなく、これは、アップリンクとダウンリンクの両方の物理的リソースの組み合わせに対し構成可能である。複数の周波数チャネルが利用可能であるとき、従来のアプローチは、周波数チャネルごとに独立したＴＤＤキャリアを有することであった。
【０００４】
本出願と同一の出願人によるＧＢ特許出願第０３０３０７９．８（参照することによりその内容がここに含まれる）、対にされたＦＤＤスペクトルへのＴＤＤの適用では、ＦＤＤ下位帯域は従来のＴＤＤキャリアとして使用され、ＦＤＤ上位帯域はＴＤＤ補助ダウンリンクチャネルとして使用され、これにより、ダウンリンクセルスループットが向上するということが提案されている。
【０００５】
しかしながら、当該特許出願は、ＴＤＤの対にされたＦＤＤスペクトルへの適用に限定されている。本発明は、帯域幅と周波数の両方の分離において異なる複数の周波数チャネルを含むように、当該特許出願の方法を一般化及び拡張するものである。
【０００６】
従って、上記問題点が軽減されうる通信システムにおけるＴＤＤ処理のための方法、基地局及びモバイルステーションが必要とされる。
【０００７】
［発明の概要］
本発明の第１の特徴によると、請求項１記載の通信システムにおけるＴＤＤ処理のための方法が提供される。
【０００８】
本発明の第２の特徴によると、請求項１０記載の通信システムにおけるＴＤＤ処理のための基地局が提供される。
【０００９】
本発明の第３の特徴によると、請求項１９記載の通信システムにおけるＴＤＤ処理のための方法、基地局及びモバイルステーションが提供される。
【００１０】
［好適な実施例の説明］
本発明の以下の好適な実施例は、ＴＤＤモードで動作するＵＭＴＳ無線アクセスネットワーク（ＵＴＲＡＮ）システムに関して説明される。まず図１を参照するに、典型的な標準的ＵＭＴＳ無線アクセスネットワーク（ＵＴＲＡＮ）システム１００は、端末／ユーザ装置領域１１０、ＵＭＴＳ陸上無線アクセスネットワーク領域１２０及びコアネットワーク領域１３０から構成されると便宜的に考えられる。
【００１１】
端末／ユーザ装置領域１１０では、端末装置（ＴＥ）１１２が有線または無線Ｒインタフェースを介しモバイル装置（ＭＥ）１１４に接続されている。また、ＭＥ１１４は、ユーザサービス識別モジュール（ＵＳＩＭ）１１６に接続され、ＭＥ１１４とＵＳＩＭ１１６は共にユーザ装置（ＵＥ）１１８と考えられる。ＵＥ１１８は、無線Ｕｕインタフェースを介し無線アクセスネットワーク領域１２０におけるノードＢ（基地局）１２２とデータを通信する。無線アクセスネットワーク領域１２０の範囲内では、ノードＢ１２２は、Ｉｕｂインタフェースを介し無線ネットワークコントローラ（ＲＮＣ）１２４と通信する。ＲＮＣ１２４は、Ｉｕｒインタフェースを介し他のＲＮＣ（図示せず）と通信する。ノードＢ１２２とＲＮＣ１２４は共に、ＵＴＲＡＮ１２６を構成する。ＲＮＣ１２４は、Ｉｕインタフェースを介しコアネットワーク領域１３０におけるサービングＧＰＲＳサービスノード（ＳＧＳＮ）１３２と通信する。
【００１２】
コアネットワーク領域１３０の範囲内では、ＳＧＳＮ１３２は、Ｇｎインタフェースを介しゲートウェイＧＰＲＳサポートノード（ＧＧＳＮ）１３４と通信し、ＳＧＳＮ１３２とＧＧＳＮ１３４は、それぞれＧｒインタフェースとＧｃインタフェースを介しホームロケーションレジスタ（ＨＬＲ）サーバ１３６と通信する。ＧＧＳＮ１３４は、Ｇｉインタフェースを介し公衆データネットワーク１３８と通信する。
【００１３】
従って、要素ＲＮＣ１２４、ＳＧＳＮ１３２及びＧＧＳＮ１３４は、図２に示されるように、無線アクセスネットワーク領域１２０とコアネットワークドメイン１３０において分割される個別独立なユニット（各自のソフトウェア／ハードウェアプラットフォーム上の）として従来提供されている。
【００１４】
ＲＮＳ１２４は、多数のノードＢ１２２に対するリソースの制御及び割当てを行うＵＴＲＡＮ要素であり、典型的には、５０〜１００個のノードＢが１つのＲＮＣにより制御可能である。ＲＮＣはまた、無線インタフェースを介しユーザトラフィックの信頼性の高い伝送を提供する。ＲＮＣは、ハンドオーバやマクロダイバーシチをサポートするため互いに通信する（Ｉｕｒインタフェースを介し）。
【００１５】
ＳＧＳＮ１３２は、ＨＬＲとのインタフェース及びセッションコントロールを行うＵＭＴＳコアネットワーク要素である。ＳＧＳＮは、個々のＵＥの位置を追跡し、セキュリティ機能とアクセス制御を実行する。ＳＧＳＮは、多数のＲＮＣの大規模な集中化されたコントローラである。
【００１６】
ＧＧＳＮ１３４は、コアパケットネットワーク内のユーザデータを最終的な宛先（インターネットサービスプロバイダーＩＳＰなど）に集中及びトンネリングするためのＵＭＴＳコアネットワーク要素である。
【００１７】
このようなＵＴＲＡＮシステム及びそれの動作は、ｗｗｗ．３ｇｐｐ．ｏｒｇから入手可能な３ＧＰＰ技術仕様書３ＧＰＰ  ＴＳ  ２５．４０１、３ＧＰＰ  ＴＳ  ２３．０６０及び関連文献により詳細に説明されており、ここではさらに詳細には説明される必要はない。
【００１８】
本発明は、上述のＧＢ特許出願第０３０３０７９．８号に記載される発明の発展形とみなされるかもしれない。そこでは、ＴＤＤの対にされたＦＤＤスペクトルへの適用において、ＦＤＤ上位帯域は従来のＴＤＤキャリアとして使用され、ＦＤＤ上位帯域はＴＤＤ補助ダウンリンクチャネルとして使用され、一般化された複信（当該用語により、ここでは以降において参照されるであろう）としてみなされるかもしれない。
【００１９】
一般化された複信（ＧＤ）のコンセプトは、ＵＴＲＡ  ＴＤＤモードから導出され、複数のＲＦキャリア上で動作する。従来のＵＴＲＡ  ＦＤＤモードと異なり、ＧＤは、ＲＦキャリア間の固定された周波数複信スペーシングを必要としない。ＧＤ法は、１つのメインキャリと１以上のサブキャリアの使用を伴う。最も一般的に考えられると、サブキャリアの個数がゼロであるとき、ＧＤは標準的なＵＴＲＡ  ＴＤＤモードとなる。
【００２０】
ＵＥ１１８がＵＴＲＡＮ１２６に付属するとき、ＵＥ機能は、ＧＤがＵＥ側でサポートされているか否か規定する。ＵＥとＵＴＲＡＮの双方がＧＤに対応可能である場合、ＵＴＲＡＮはＵＥにサブキャリアを割当てるべきである。ＵＴＲＡＮは、Ｎ個のサブキャリアをサポート可能である。サブキャリアを割当てるプロセスは、ＵＴＲＡＮネットワーク１２６の無線リソースマネージャ（ＲＲＭ）（図示せず）により制御されるべきである。サブキャリアに対する測定がネットワークに与えられ、ＵＥはこれに応じてキャリア上にロードされるべきである。
【００２１】
図２は、ＧＤ法の一例となる周波数領域表現を示す。本例では、メインキャリア２００は、４つのサブキャリア２１０、２２０、２３０及び２４０によりサポートされている。ここで、メインキャリア２００に対するサブキャリア２１０〜２４０の周波数分離は、任意的なものであり、固定された周波数複信スペーシングを必要としないということに留意するようにしてもよい。また、メイン及びサブキャリアのチップレートもまた、例えば、メインキャリアのチップレートは３．８４Ｍｃｐｓ、サブキャリア２４０のチップレートは７．６８Ｍｃｐｓなど異なるものとすることが可能であるということは理解されるであろう。
【００２２】
ＧＤ動作モード
最も一般的には、ＧＤは３つの動作モードをサポートする。これらのモードを説明するのに、以下の表記が与えられる。
【００２３】
メインキャリア：メインキャリアは、３ＧＰＰ  ＵＭＴＳ  ＴＤＤモードに関するすべての属性を有する。これは、各種チップレートを含む。
【００２４】
サブキャリア：サブキャリアは、以下を除いてメインキャリアに関するすべての属性を有する。すなわち、
・すべてのダウンリンクタイムスロットのサポートは、ＵＥとＵＴＲＡＮの両サイドにおいて必須である。
・無線ベアラの信号処理を含むアップリンク（ＵＬ）無線ベアラは、サポートされない。
【００２５】
メインキャリア上での物理的チャネルの割当ては、常にサブキャリアに対し優先すべきである。これは特に、制御情報を搬送するタイムスロットを考えるときに適用可能である。
【００２６】
ＦＡＣＨ（Ｆｏｒｗａｒｄ  Ａｃｃｅｓｓ  Ｃｈａｎｎｅｌ）、ＲＡＣＨ（Ｒａｎｄｏｍ  Ａｃｃｅｓｓ  Ｃｈａｎｎｅｌ）及びビーコンに関するタイムスロットは、リソース割当てにおけるフレキシビリティ及びサブキャリアスループットの最大化を可能にするためメインキャリア上で二重にされる。
【００２７】
モード０
上述のように、最も一般的と考えられる「モード０」ＧＤ処理は、３ＧＰＰ  ＵＴＲＡ  ＴＤＤモードに対応し、
・１つのメインキャリア
・サブキャリアなし
から構成される。
【００２８】
モード１
・「モード１」動作では、ＧＤは、１つのメインキャリアと１以上のサブキャリを有するべきである。
・サブキャリア上のすべてのタイムスロットは、ダウンリンクである。
・ＵＥは、半複信処理をサポートする。
・ケース２同期処理が、３ＧＰＰ技術仕様３ＧＰＰ  ＴＳ２５．２２１に規定されるようなメインキャリアに適用される。
・ネットワークは、メインキャリア上に最小でも２つのＰＲＡＣＨ（Ｐｈｙｓｉｃａｌ  Ｒａｎｄｏｍ  Ａｃｃｅｓｓ  ＣＨａｎｎｅｌ）タイムスロットを提供すべきである。
・ネットワークは、メインキャリア上に最小でも２つのＳＣＣＰＣＨ（Ｓｅｃｏｎｄａｒｙ  Ｃｏｍｍｏｎ  Ｃｏｎｔｒｏｌ  Ｐｈｙｓｉｃａｌ  ＣＨａｎｎｅｌ）タイムスロットを提供すべきである。
【００２９】
図３の３１０において、メインキャリア割当ての一例が示される。ここで、Ｂはビーコンチャネルであり、ＳはＳＣＣＰＣＨであり、ＰはＰＲＡＣＨであり、ＵはアップリンクＤＰＣＨ（Ｄｅｄｉｃａｔｅｄ  Ｐｈｙｓｉｃａｌ  Ｃｈａｎｎｅｌ）またはＰＵＳＣＨ（Ｐｈｙｓｉｃａｌ  Ｄｏｗｎｌｉｎｋ  Ｓｈａｒｅｄ  Ｃｈａｎｎｅｌ）である。
【００３０】
ＵＥがネットワークに属するとき、それは自らが「モード１対応可能」なＧＤ  ＵＥであるかアップリンクを介し通知する。ＵＥがモード１動作可能である場合、サービスを提供するＲＮＣ１２４は、当該ＵＥのサブキャリアテンプレートを生成するであろう。このテンプレートは、３２０において示されるように、サブキャリア上の利用可能な物理的リソースを規定するのにネットワークにより利用される。第１ユーザ「ユーザ１」と第２ユーザ「ユーザ２」のテンプレートが、図３の３３０と３４０にそれぞれ示される。ここで、それはメインキャリアとサブキャリアとの間の再調整を行うため、ＵＥに１つのタイムスロットを与えると仮定する。アップリンク物理的リソースが割当てられていない場合、メインキャリアを介した共通のダウンリンク及びアップリンク通知を考慮して、何れのユーザもサブキャリアを介し１０個のダウンリンクタイムスロットにアクセスする。
【００３１】
アップリンク物理的リソースがメインキャリアに割当てられているとき、サブキャリアテンプレートは、ネットワーク側で無線リソースマネージャ（ＲＲＭ）（図示せず）機能により動的に更新される。ＸＳ＝（ｘＳ，０，ｘＳ，０，．．．，ｘＳ，１４）をサブキャリアテンプレートとする。ただし、ｘＳ，ｔ＝１はブロックされたタイムスロットに対応し、ｘＳ，ｔ＝０
はブロックされていないタイムスロットに対応する。メインキャリア上の割当てられた各スロットに対し、サブキャリアには対応する３つのブロックされたスロット、割当てられたタイムスロット、及びメインキャリアとサブキャリアとの間での再調整に関する２つのタイムスロットが存在する。ｐをメインキャリア上の割当てられたタイムスロットとすると、サブキャリ上の３つのブロックされたタイムスロットは、
［ｍｏｄ（ｐ−１，１５），ｐ，ｍｏｄ（ｐ＋１，１５）］
により与えられる。
【００３２】
ＵＥがモード１動作にある場合、すべてのダウンリンクＤＰＣＨ及びＰＤＳＣＨは、通知がない場合には、サブキャリアを介し搬送されるべきである。この状態の下、アップリンク上で信号処理されたトランスミット・パワー・コントロール（ＴＰＣ）ビットは、サブキャリアと関連付けされるべきである。すなわち、モード１動作では、ＵＥごとのサブキャリアを介した最大ダウンリンクスループットは、当該ＵＥに割当てられたアップリンク割当てリソースとメインキャリア上のコントロールタイムスロットに基づくものとなる。
【００３３】
モード２
当該モードでは、「モード１」に対するキーの相違は、ＵＥが全複信処理をサポートするということである。「モード２」動作では、ＧＤ法は、
・１つのメインキャリアと１以上のサブキャリア
・サブキャリア上のすべてのタイムスロットはダウンリンクである。
・ＵＥは全複信動作をサポートする。
・ＵＥは、独立した送信機能及び単一の受信機能を有する。
・ケース２同期処理は、上述の３ＧＰＰ技術仕様３ＧＰＰ  ＴＳ２５．２２１に規定されるようなメインキャリアに適用される。
・ネットワークは、メインキャリアに最小で２つのいＰＲＡＣＨタイムスロットを提供すべきである。
・ネットワークは、メインキャリアに最小で２つのＳＣＣＰＣＨタイムスロットを提供すべきである。
【００３４】
図４において、モード２動作の一例が示され、メインキャリアタイムスロット割当てが４１０に示され、サブキャリアタイムスロット割当てが４２０に示され、第１ユーザ「ユーザ１」と第２ユーザ「ユーザ２」のテンプレートがそれぞれ４３０と４４０に示される。「モード２」は全複信で動作するため、それは同時の送受信をサポートすることが可能である。しかしながら、１つの受信機能しかＵＥ側では実現されないため、関連するダウンリンクがメインキャリアで利用可能になると、メインキャリアとサブキャリアとの間で再調整する必要がある。このことは、サブキャリアのタイムスロットが、メインキャリアの規定されたダウンリンクタイムスロットによりブロックされることを意味する。
【００３５】
「モード２」に対し、ＵＥごとのサブキャリアのブロックされたタイムスロットの最大数は、ＵＥに割当てられたＰＣＣＰＣＨ（Ｐｒｉｍａｒｙ  Ｃｏｍｍｏｎ  Ｃｏｎｔｒｏｌ  Ｃｈａｎｎｅｌ）及びＳＣＣＰＣＨタイムスロットとＤＬ送信間の再調整のために必要なタイムスロットとの合計により決定される。本例では、これは４に対応する。
【００３６】
すなわち、「モード２」動作に対し、ＵＥごとのサブキャリアの最大ダウンリンクスループットは、当該ＵＥに割当てられているアップリンク割当てリソースとは独立である。「モード２」ＧＤのみをサポートするセクタに対し、メインキャリアのすべてのトラフィックタイムスロットが、アップリンクの使用に割当て可能である。しかしながら、メインキャリアのダウンリンクトラフィックスロットを含めることは、後方互換性のため必要とされるかもしれない。
【００３７】
すなわち、上述のＧＤはＧＢ特許出願第０３０３０７９．８号に記載されたスキームを一般化したものであり、従来のＵＴＲＡ  ＴＤＤモードを含む３つの動作モードを提供するということが理解されるであろう。ＵＥ側での半複信動作及び全複信動作のサポートとして、複数のＲＦキャリア及び複数のチップレートがサポートされる。上記方法は、ハイ・ダウンリンク・パケット・アクセス（ＨＳＰＤＡ）に容易に適用可能であるということが理解されるであろう。
【００３８】
上述の通信システムにおけるＴＤＤ処理のための方法、基地局及びモバイルステーションは、以下の効果を提供するということが理解されるであろう。
・一般化された複信は、複数のＲＦキャリアに対し動作する。
・従来のＵＴＲＡ  ＦＤＤモードと異なり、ＧＤは、ＲＦキャリア間の固定された周波数複信スペーシングを要求しない。
【図面の簡単な説明】
【００３９】
【図１】図１は、本発明が利用可能な３ＧＰＰ無線通信システムを示す概略的なブロック図を示す。
【図２】図２は、メインキャリアが４つのサブキャリアによりサポートされている本発明の方法の一例の周波数領域表現を示す概略図を示す。
【図３】図３は、第１の半複信動作モードにおけるメイン割当てを示す概略図を示す。
【図４】図４は、第２の全複信動作モードにおけるメイン割当てを示す概略図を示す。
【図１】
2007505583.tif 000003
【図２】
2007505583.tif 000004
【図３】
2007505583.tif 000005
【図４】
2007505583.tif 000006
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
メインキャリアと複数のサブキャリアとをサポートする通信システムにおける基地局とモバイルステーションとの間における通信のための方法であって、
メインキャリアを介し通信を行うステップと、
モバイルステーションの機能に応答して、前記複数のサブキャリアの中のサブキャリアを介し前記通信を行うステップと、
から構成されることを特徴とする方法。
【請求項２】
請求項１記載の方法であって、さらに、
半複信ＴＤＤモードにより前記メインキャリアと前記サブキャリアを介し通信するステップを有することを特徴とする方法。
【請求項３】
請求項１記載の方法であって、さらに、
全複信ＴＤＤモードにより前記メインキャリアと前記サブキャリアを介し通信するステップを有することを特徴とする方法。
【請求項４】
請求項１記載の方法であって、さらに、
前記モバイルステーションが前記通信システムに付属することにより、モバイルステーションの機能を決定するステップを有することを特徴とする方法。
【請求項５】
請求項１記載の方法であって、さらに、
前記モバイルステーションによりモバイルステーションの機能を前記通信システムに通知するステップを有することを特徴とする方法。
【請求項６】
請求項１記載の方法であって、
前記少なくとも１つのサブキャリアは、ダウンリンク通信のみをサポートすることを特徴とする方法。
【請求項７】
請求項１記載の方法であって、さらに、
異なるチップレートまたは異なる帯域幅の少なくとも１つを用いて、前記メインキャリアと前記少なくとも１つのサブキャリアを動作するステップを有することを特徴とする方法。
【請求項８】
請求項１記載の方法であって、
前記モバイルステーションは、ユーザ装置であり、
前記基地局は、ノードＢであり、
前記システムは、３ＧＰＰシステムから構成される、
ことを特徴とする方法。
【請求項９】
メインキャリアと複数のサブキャリアをサポートする通信システムにおけるモバイルステーションと通信する基地局であって、
前記メインキャリアを介し通信を行う手段と、
モバイルステーションの機能に応答して、前記複数のサブキャリアの中のサブキャリアを介し前記通信を行う手段と、
から構成されることを特徴とする基地局。
【請求項１０】
請求項９記載の基地局であって、
当該基地局は、半複信ＴＤＤモードにより前記メインキャリアと前記サブキャリアを介し通信するよう動作可能であることを特徴とする基地局。
【請求項１１】
請求項９記載の基地局であって、
当該基地局は、全複信ＴＤＤモードにより前記メインキャリアと前記サブキャリアを介し通信するよう動作可能であることを特徴とする基地局。
【請求項１２】
請求項９記載の基地局であって、さらに、
いくつかのサブキャリアを介し送信するよう動作可能な送信機を有することを特徴とする基地局。
【請求項１３】
請求項１２記載の基地局であって、
前記送信機は、前記少なくとも１つのサブキャリアを介しダウンリンク通信のみを送信するよう動作可能であることを特徴とする基地局。
【請求項１４】
請求項９記載の基地局であって、
当該基地局は、異なるチップレートまたは異なる帯域幅の少なくとも１つを用いて、前記メインキャリアと前記少なくとも１つのサブキャリアを介し通信するよう動作可能であることを特徴とする基地局。
【請求項１５】
請求項９記載の基地局を有する３ＧＰＰ通信システムにおけるノードＢ。
【請求項１６】
メインキャリアと複数のサブキャリアをサポートする通信システムにおける基地局と通信するモバイルステーションであって、
前記メインキャリアを介し通信を行う手段と、
モバイルステーションの機能に応答して、前記複数のサブキャリアの中のサブキャリアを介し前記通信を行う手段と、
から構成されることを特徴とするモバイルステーション。
【請求項１７】
請求項１６記載のモバイルステーションであって、
当該モバイルステーションは、半複信ＴＤＤモードにより前記メインキャリアと前記サブキャリアを介し通信するよう動作可能であることを特徴とするモバイルステーション。
【請求項１８】
請求項１６記載のモバイルステーションであって、
当該モバイルステーションは、全複信ＴＤＤモードにより前記メインキャリアと前記サブキャリアを介し通信するよう動作可能であることを特徴とするモバイルステーション。
【請求項１９】
請求項１６記載のモバイルステーションであって、さらに、
当該モバイルステーションの機能を前記通信システムに通知するよう動作可能な送信機を有することを特徴とするモバイルステーション。
【請求項２０】
請求項１６記載のモバイルステーションであって、さらに、
前記サブキャリアを介しダウンリンク通信のみを受信するよう動作可能である受信機を有することを特徴とするモバイルステーション。
【請求項２１】
請求項１６記載のモバイルステーションであって、
当該モバイルステーションは、異なるチップレートまたは異なる帯域幅の少なくとも１つを用いて、前記メインキャリアと前記サブキャリアを介し通信するよう動作可能であることを特徴とするモバイルステーション。
【請求項２２】
請求項１６記載のモバイルステーションであって、
当該モバイルステーションは、３ＧＰＰ通信システムにおいて動作するユーザ装置であることを特徴とするモバイルステーション。
【請求項２３】
少なくとも１つの基地局と少なくとも１つのモバイルステーションとから構成され、メインキャリアと複数のサブキャリアを介し前記少なくとも１つの基地局と前記少なくとも１つのモバイルステーションとの間の通信をサポートするよう動作可能な通信システムであって、
当該通信システムはさらに、メインキャリア上の通信を割当て、モバイルステーションの機能に応答して、前記複数のサブキャリアの中のサブキャリア上の通信を割当てるよう動作可能な無線リソースマネージャを有することを特徴とする通信システム。
【請求項２４】
請求項２３記載の通信システムであって、
前記無線リソースマネージャは、半複信ＴＤＤモードにより前記メインキャリアと前記サブキャリアを介し通信を割当てることを特徴とする通信システム。
【請求項２５】
請求項２３記載の通信システムであって、
前記無線リソースマネージャは、全複信ＴＤＤモードにより前記メインキャリアと前記サブキャリアを介し通信を割当てることを特徴とする通信システム。
【請求項２６】
請求項２３記載の通信システムであって、
前記モバイルステーションの機能は、前記モバイルステーションが当該通信システムに付属すると決定されることを特徴とする通信システム。
【請求項２７】
請求項２３記載の通信システムであって、
前記モバイルステーションは、該モバイルステーションの機能を示す信号を当該通信システムに送信するよう動作可能な送信機を有することを特徴とする通信システム。
【請求項２８】
請求項２３記載の通信システムであって、
前記無線リソースマネージャは、前記サブキャリアを介しダウンリンク通信のみを割当てることを特徴とする通信システム。
【請求項２９】
請求項２３記載の通信システムであって、
前記無線リソースマネージャは、異なるチップレートまたは帯域幅において前記メインキャリアと前記複数のサブキャリアの少なくとも１つのキャリアを割当てることを特徴とする通信システム。
【請求項３０】
請求項２３記載の通信システムであって、
当該通信システムは、第三世代パートナーシッププロジェクト（３ＧＰＰ）セルラー通信システムであることを特徴とする通信システム。
【請求項３１】
メインキャリアと複数のサブキャリアとをサポートする通信システムにおける基地局とモバイルステーションとの間における通信のための方法であって、
メインキャリアを介し通信を行うステップと、
前記複数のサブキャリアを介し前記通信を行うステップと、
から構成され、
前記メインキャリアを介した通信は、異なるチップレートまたは異なる帯域幅の少なくとも１つを用いて、前記複数のサブキャリアの少なくとも１つを介し通信することを特徴とする方法。
【請求項３２】
請求項３１記載の方法であって、さらに、
半複信ＴＤＤモードにより前記メインキャリアと前記サブキャリアを介し通信するステップを有することを特徴とする方法。
【請求項３３】
請求項３１記載の方法であって、さらに、
全複信ＴＤＤモードにより前記メインキャリアと前記サブキャリアを介し通信するステップを有することを特徴とする方法。
【請求項３４】
請求項３１記載の方法であって、
前記複数のサブキャリアは、ダウンリンク通信のみをサポートすることを特徴とする方法。
【請求項３５】
請求項３１記載の方法であって、
前記モバイルステーションは、ユーザ装置であり、
前記基地局は、ノードＢであり、
前記システムは、３ＧＰＰシステムである、
ことを特徴とする方法。
【手続補正２】
【補正対象書類名】明細書
【補正対象項目名】０００８
【補正方法】変更
【補正の内容】
【０００８】
本発明の第２の特徴によると、請求項９記載の通信システムにおけるＴＤＤ処理のための基地局が提供される。
【手続補正３】
【補正対象書類名】明細書
【補正対象項目名】０００９
【補正方法】変更
【補正の内容】
【０００９】
本発明の第３の特徴によると、請求項１６記載の通信システムにおけるＴＤＤ処理のためのモバイルステーションが提供される。
本発明の第４の特徴によると、請求項２３記載の通信システムが提供される。
本発明の第５の特徴によると、請求項３１記載の通信システムにおける基地局とモバイルステーションとの間の通信方法が提供される。
【国際調査報告】
2007505583.tif 000007
2007505583.tif 000008
2007505583.tif 000009